(57)【要約】  【課題】被写体光を常時減光するために、フィルタ板を取り付けた、コスト的に有利なカメラ用シャッタを提供すること。  【解決手段】カバー板４と押さえ板６とを重合し、それらとシャッタ地板１との間に、シャッタ羽根２，３の羽根室を構成している。ＮＤフィルタ板５は、接着剤を用いずに、カバー板４に形成された窪み部４ｇに収容されていて、押さえ板６によって脱落を防ぎ且つ平面性を維持されている。このように構成すると、カバー板４にＮＤフィルタ板５を接着する場合より部品点数は増えるが、組立作業が容易となって、コスト的には有利になり、修理の際にも、ＮＤフィルタ板５の交換が容易となる。【選択図】  図１
2005157161.tif 000002
【特許請求の範囲】
【請求項１】
開口部を有すると共に一方の面において該開口部を囲む所定の領域が略平らな底面を有する窪み部として形成されているカバー板と、前記開口部を覆うようにして前記窪み部に収容されたＮＤフィルタ板と、前記開口部の対応位置に開口部を有しており前記窪み部を覆うようにして前記カバー板に重合された押さえ板と、前記カバー板と前記押さえ板とを取り付けていてそれらのいずれか一方との間にシャッタ羽根の羽根室を構成したシャッタ地板と、を備えていることを特徴とするカメラ用シャッタ。
【請求項２】
前記窪み部に前記ＮＤフィルタ板を収容した後、前記カバー板と前記押さえ板とを相互に取り付けておいてから、それらの重合された二つの板部材を前記シャッタ地板に取り付けていることを特徴とする請求項１に記載のカメラ用シャッタ。
【請求項３】
前記シャッタ地板の取付部に前記カバー板を載置し、その上に前記ＮＤフィルタ板を押さえるようにして前記押さえ板を載置して、前記カバー板と前記押さえ板とを同時に前記シャッタ地板に取り付けていることを特徴とする請求項１に記載のカメラ用シャッタ。
【発明の詳細な説明】
【技術分野】
【０００１】
本発明は、撮影光路に常時ＮＤフィルタを配置しているカメラ用シャッタに関する。
【背景技術】
【０００２】
撮影光学系の結像面に当たる被写体光を減光する手段として、絞り羽根のほかに、ＮＤフィルタを用いることが古くから知られている。そして、そのＮＤフィルタの用い方としては、必要に応じて撮影光学系の前面を覆うように鏡胴に着脱するようにする場合もあるが、最近のコンパクトカメラなどでは、ＮＤフィルタを取り付けた羽根部材をカメラに内蔵しておき、それを必要に応じて被写体光路内に進退させるようにすることが知られている。特許文献１には、そのようにして、ＮＤフィルタを取り付けた羽根部材を、シャッタの羽根室内に配置した場合の構成が記載されている。
【特許文献１】特開２００３−５２５１号公報
【発明の開示】
【発明が解決しようとする課題】
【０００３】
デジタルスチルカメラや、カメラ付き携帯用情報端末装置（携帯電話，ＰＤＡなど）の出現によって、最近ではカメラ構成の一層の薄型化が要求されている。他方、それらのカメラに用いられている固体撮像素子は、画素数の増加傾向にある。そして、固体撮像素子の撮像面には、周知のように、数十万〜数百万の微細な光電変換素子が配列されていて、それらの前面には各々に微細なレンズが配置されている。ところが、一般的には、撮像面にあたる被写体光が強くなりすぎると、固体撮像素子の劣化を早める要因になってしまう。そこで、そのような場合には、ＮＤフィルタをカメラ内に配置し、撮像面にあたる被写体光を、常時、減光できるようにすることが必要になる。
【０００４】
ところで、デジタルスチルカメラや、携帯用情報端末装置に備えられているカメラは、シャッタ装置を備えることによって、スミア現象を抑制した好適な画像を得ることができる。そして、シャッタ装置は、通常、撮影光路を規制する開口部を有したシャッタ地板と、上記の開口部より若干大きな開口部を有したカバー板との間に羽根室を構成し、その羽根室内にシャッタ羽根を配置している。このようなシャッタ装置において、ＮＤフィルタを、常時、被写体光路に配置するためには、ＮＤフィルタ板を、上記のカバー板に対して、その開口部を覆うようにして取り付けるのが得策である。そして、そのようにする場合には、一般には、接着剤で貼付するのが普通である。
【０００５】
しかしながら、接着剤で貼付する作業は、極めて難しい作業である。ＮＤフィルタ板は、カバー板の開口部よりやや大きいとはいえ、小さくて極めて薄いものである。そのため、部品として取り扱うこと自体が容易でない上に、透光面には接着剤を付着させることなく、カバー板に貼付しなければならないため、作業者にとっては大変な神経を必要とするものであり、その上、もしも、開口部の周囲に完全に貼付されていなかった場合には、ＮＤフィルタ板に反りが生じたり、そのために傷が付いてしまったり、さらには、落下，衝撃，振動等によって剥がれてしまうようなことにもなってしまう。他方、ＮＤフィルタ板を接着剤でカバー板に貼付した場合は、カメラの製作中や完成後に、ＮＤフィルタ板に傷や汚れが付いて修理をするとき、新しいＮＤフィルタ板を貼付する前に、カバー板に付いていた古い接着剤を完全に拭き取らなくてはならないが、そのようにすることは極めて面倒なことである。
【０００６】
本発明は、このような問題点を解決するためになされたものであり、その目的とするところは、シャッタ羽根の駆動装置を取り付けたシャッタ地板と、そのシャッタ地板に取り付けられたカバー板との間に、シャッタ羽根の羽根室を構成している従来のシャッタ装置において、カバー板に対して、接着剤を用いずに、その開口部を覆うようにしてＮＤフィルタ板を好適に取り付けることを可能にしたカメラ用シャッタを提供することである。
【課題を解決するための手段】
【０００７】
上記の目的を達成するために、本発明のカメラ用シャッタは、開口部を有すると共に一方の面において該開口部を囲む所定の領域が略平らな底面を有する窪み部として形成されているカバー板と、前記開口部を覆うようにして前記窪み部に収容されたＮＤフィルタ板と、前記開口部の対応位置に開口部を有しており前記窪み部を覆うようにして前記カバー板に重合された押さえ板と、前記カバー板と前記押さえ板とを取り付けていてそれらのいずれか一方との間にシャッタ羽根の羽根室を構成したシャッタ地板と、を備えているようにする。
【０００８】
その場合、前記窪み部に前記ＮＤフィルタ板を収容した後、前記カバー板と前記押さえ板とを相互に取り付けておいてから、それらの重合された二つの板部材を前記シャッタ地板に取り付けているようにしてもよいし、前記シャッタ地板の取付部に前記カバー板を載置し、その上に前記ＮＤフィルタ板を押さえるようにして前記押さえ板を載置して、前記カバー板と前記押さえ板とを同時に前記シャッタ地板に取り付けているようにしてもよい。
【発明の効果】
【０００９】
本発明のカメラ用シャッタは、カバー板に設けられた窪み部にＮＤフィルタ板を収容し、そのカバー板と押さえ板とを重合してシャッタ地板に取り付け、シャッタ地板との間に羽根室を構成するようにしているので、ＮＤフィルタを接着剤で貼付する場合に比較して、部品点数は多くなるものの、組立作業が極めて容易となってコスト的には有利になり、修理時におけるＮＤフィルタ板の交換も容易になる。
【発明を実施するための最良の形態】
【００１０】
本発明の実施の形態を、図示した実施例によって説明する。尚、実施例は、デジタルカメラや携帯電話等に内蔵されるカメラ用シャッタとして構成されたものであり、図１は、その分解斜視図であるが、アクチュエータの図示は省略されている。
【実施例】
【００１１】
図１において、シャッタ地板１は合成樹脂製であって、円形をした光路規制用の開口部１ａと、独特の形状をした開口部１ｂとを有しており、羽根室側の面には、各々ねじ孔を形成した二つの取付部１ｃ，１ｄと、二つの軸１ｅ，１ｆが設けられている。シャッタ羽根２，３は、円形の孔２ａ，３ａと、長孔２ｂ，３ｂとを有していて、それらの孔２ａ，３ａを、各々上記の軸１ｅ，１ｆに対して回転可能に嵌合させている。カバー板４は、シャッタ地板１よりもかなり薄い板部材であって、シャッタ地板１の開口部１ａよりも若干直径の大きな開口部４ａと、円形をした四つの孔４ｂ，４ｃ，４ｄ，４ｅと、円弧状の長孔４ｆとを有している。また、羽根室とは反対側の面に、開口部４ａを囲む所定の領域にだけ、略平らな底面を有する窪み部４ｇを形成し、その中に、ＮＤフィルタ板５を落とし込むようにして収容している。
【００１２】
押さえ板６は、カバー板４よりも薄い板部材であって、カバー板４の開口部４ａよりも若干直径の大きな開口部６ａと、円形をした四つの孔６ｂ，６ｃ，６ｄ，６ｅと、円弧状の長孔６ｆとを有しており、カバー板４に重合されることによって、窪み部４ｇに収容されているＮＤフィルタ板５を脱落しないようにしていると共に、撓まないように押さえ付け、平面性を維持させるようにしている。そして、カバー板４と押さえ板６とは、シャッタ地板１の取付部１ｃ，１ｄに、順に載置された後、孔４ｄ，６ｄにねじ７を挿入し、孔４ｅ，６ｅにねじ８を挿入して、シャッタ地板１に螺着されている。そして、シャッタ地板１に螺着された状態においては、孔４ｂ，６ｂに軸１ｅの先端を挿入し、孔４ｃ，６ｃには軸１ｆの先端を挿入して、シャッタ羽根２，３が軸１ｅ，１ｆから外れないようになっている。
【００１３】
シャッタ地板１の背面側には、図示していないアクチュエータが取り付けられている。そのアクチュエータは、特許文献１に記載されているようなムービングマグネット型モータを想定しており、そのモータの回転子と一体の駆動ピンが、開口部１ｂを貫通し、羽根室内でシャッタ羽根２，３の長孔２ｂ，３ｂの両方に挿入され、その先端が、カバー板４の長孔４ｆと、押さえ板６の長孔６ｆに挿入されている。そして、図１においては、シャッタ羽根２，３が開口部１ａを全開にしているが、モータの回転子が反時計方向へ回転すると、駆動ピンが開口部１ｂ内を略右方向へ移動して閉じ作動を行い、その後、回転子が時計方向へ回転すると、駆動ピンが略左方向へ移動して開き作動を行うようになっている。
【００１４】
次に、本実施例の作動を簡単に説明しておく。図１は本実施例の初期状態を示しており、シャッタ羽根２，３は光路規制用の開口部１ａを全開にしている。そのため、固体撮像素子は被写体光にさらされており、被写体像をモニターで観察可能となっている。撮影に際してレリーズボタンを押すと、固体撮像素子に蓄積されていた電荷が放出され、撮影のための露光が開始する。その後、所定の時間が経過すると、露光制御回路からの信号によってモータのコイルに順方向の電流が供給され、回転子が反時計方向へ回転させられる。そのため、シャッタ羽根２は反時計方向へ回転し、シャッタ羽根３は時計方向へ回転して、開口部１ａを閉鎖する。
【００１５】
開口部１ａが閉鎖すると、その状態において、撮像情報が記憶装置に転送される。そして、その転送が終わると、モータのコイルに、今度は逆方向の電流が供給され、回転子が時計方向へ回転させられる。そのため、シャッタ羽根２は時計方向へ回転し、シャッタ羽根３は反時計方向へ回転して開口部１ａを開放し全開状態となる。その後、モータのコイルに対する通電が断たれることによって、図１に示した初期状態に復帰する。
【００１６】
尚、実施例の構成においては、組立作業をし易くするために、シャッタ地板１の取付部１ｃ，１ｄに、カバー板４と押さえ板６とを順に載置しておいてから、ねじ７，８によって螺着するようにしているが、本発明は、ＮＤフィルタ板５を窪み部４ｇに収容した状態で、予めカバー板４と押さえ板６とを適宜な手段によって相互に取り付けておき、それを、シャッタ地板１に対して取り付けるようにしても差し支えない。また、実施例においては、シャッタ地板１とカバー板４との間に羽根室を構成しているが、カバー板４，ＮＤフィルタ５，押さえ板６を実施例のような重合関係にしておき、押さえ板６を下側にしてシャッタ地板１に取り付けることにより、シャッタ地板１と押さえ板６との間に羽根室を構成しても差し支えない。その場合にも、上記のようにカバー板４と押さえ板６とを予め適宜な手段で相互に取り付けてから、シャッタ地板１に取り付けてもよいし、両者を予め相互に取り付けず、単に重合状態にしておいて取り付けるようにしても構わない。
【００１７】
また、本実施例は、上記のように、携帯電話に内蔵されるカメラ用シャッタとして構成したものであるが、他のカメラ付き情報端末装置に採用することも、デジタルカメラに採用することも可能である。更に、要求があれば、本発明のカメラ用シャッタは、銀塩フィルムを使用するカメラに採用することも可能であるが、その場合には、上記の実施例において、シャッタ羽根２，３が開口部１ａを閉鎖した状態が初期状態となることは言うまでもない。
【図面の簡単な説明】
【００１８】
【図１】実施例の分解斜視図である。
【符号の説明】
【００１９】
１                            シャッタ地板
１ａ，１ｂ，４ａ，６ａ        開口部
１ｃ，１ｄ                    取付部
１ｅ，１ｆ                    軸
２，３                        シャッタ羽根
２ａ，３ａ，４ｂ，４ｃ，４ｄ，４ｅ，６ｂ，６ｃ，６ｄ，６ｅ  孔
２ｂ，３ｂ，４ｆ，６ｆ        長孔
４                            カバー板
４ｇ                          窪み部
５                            ＮＤフィルタ板
６                            押さえ板
７，８                        ねじ
【図１】
2005157161.tif 000003